(57)【特許請求の範囲】
【請求項１】
粉塵発生源を包囲する粉塵発生源包囲フードと、該粉塵発生源包囲フードに連通連結され
た不燃剤噴霧ユニット付き集塵フードと、該不燃剤噴霧ユニット付き集塵フードに接続ダ
クトを介して連通連結された集塵機と、を具備する集塵システムであって、
前記不燃剤噴霧ユニット付き集塵フードが、前記粉塵発生源で発生する粉塵を搬送気体
とともに鉛直方向に搬送する集塵フードと、該集塵フードの側面に連通連結され、前記粉
塵を搬送気体とともに水平方向に搬送する集塵ダクトと、該集塵ダクトの側面に連通連結
されると共に不燃剤を貯留し、該不燃剤を噴霧させる不燃剤噴霧ユニットと、を具備し、
前記不燃剤噴霧ユニットが、圧縮空気を噴射すると共に可撓性材料からなるチューブを有
する不燃剤撹拌手段を具備し、前記不燃剤撹拌手段における前記チューブは一端が固定されており、他端が自由に動けるようになっていることを特徴とする集塵システム。
【請求項２】
プリコート剤が貯留されたプリコート剤供給装置が前記集塵機に連通されると共に、該プ
リコート剤供給装置と前記不燃剤撹拌手段が同じ開閉弁を介して圧縮空気源に連通され、
前記開閉弁を開くことにより、前記プリコート剤供給装置から前記集塵機への前記プリコ
ート剤の供給と前記不燃剤の噴霧を同時に行うことを特徴とする請求項１記載の集塵シス
テム。
【発明の詳細な説明】
【技術分野】
【０００１】
本発明は、集塵機内やダクト内で火災が発生するのを防止するために不燃剤を噴霧させてダクト内に供給するものであって、集塵機の上流に不燃剤噴霧ユニット付き集塵フードを設置した集塵システムに関する。
【背景技術】
【０００２】
従来、集塵配管内でマグネシウム等の可燃性粉塵を搬送気体とともに搬送して集塵する際、粉塵爆発発生の可能性を低くするために、第１工程で前記集塵配管内に不燃粉体含有気体を流通させ、その後、第２工程で前記集塵配管内に前記可燃性粉塵を含有する搬送気体を流通させる粉塵の集塵方法及び集塵装置が公知にされている（例えば、特許文献１参照）。  
【先行技術文献】
【特許文献】
【０００３】
【特許文献１】特開２００１−１７８１５号公報
【発明の概要】
【発明が解決しようとする課題】
【０００４】
しかし、特許文献１のものは、前記第１工程１回あたりに流通させる不燃粉体含有気体中の不燃粉体の量が、体積比で、前記第２工程１回あたりに流通させる可燃性粉塵含有搬送気体中の可燃性粉塵の量の３〜１５倍であり、該不燃粉体の消費量が多いという問題がある。また集塵配管を含め、装置が大掛かりになってしまうという問題がある。
【０００５】
本発明は、上記の問題に鑑みて成されたもので、不燃粉体（不燃剤）の消費量を少なくすることができると共にコンパクトな構造の集塵システムを提供することを目的とする。
【課題を解決するための手段】
【０００６】
上記の目的を達成するために本発明の集塵システムは、粉塵発生源を包囲する粉塵発生
源包囲フードと、該粉塵発生源包囲フードに連通連結された不燃剤噴霧ユニット付き集塵
フードと、該不燃剤噴霧ユニット付き集塵フードに接続ダクトを介して連通連結された集
塵機と、を具備する集塵システムであって、前記不燃剤噴霧ユニット付き集塵フードが、
前記粉塵発生源で発生する粉塵を搬送気体とともに鉛直方向に搬送する集塵フードと、該
集塵フードの側面に連通連結され、前記粉塵を搬送気体とともに水平方向に搬送する集塵
ダクトと、該集塵ダクトの側面に連通連結されると共に不燃剤を貯留し、該不燃剤を噴霧させる不燃剤噴霧ユニットと、を具備し、前記不燃剤噴霧ユニットが、圧縮空気を噴射すると共に可撓性材料からなるチューブを有する不燃剤撹拌手段を具備し、前記不燃剤撹拌手段における前記チューブは一端が固定されており、他端が自由に動けるようになっていることを特徴とする。
【０００７】
また本発明の集塵システムは、プリコート剤が貯留されたプリコート剤供給装置が前記集塵機に連通されると共に、該プリコート剤供給装置と前記不燃剤撹拌手段が同じ開閉弁を介して圧縮空気源に連通され、前記開閉弁を開くことにより、前記プリコート剤供給装置から前記集塵機への前記プリコート剤の供給と前記不燃剤の噴霧を同時に行うことを特徴とする。
【発明の効果】
【０００８】
本発明は、粉塵発生源を包囲する粉塵発生源包囲フードと、該粉塵発生源包囲フードに
連通連結された不燃剤噴霧ユニット付き集塵フードと、該不燃剤噴霧ユニット付き集塵フ
ードに接続ダクトを介して連通連結された集塵機と、を具備する集塵システムであって、
前記不燃剤噴霧ユニット付き集塵フードが、前記粉塵発生源で発生する粉塵を搬送気体と
ともに鉛直方向に搬送する集塵フードと、該集塵フードの側面に連通連結され、前記粉塵
を搬送気体とともに水平方向に搬送する集塵ダクトと、該集塵ダクトの側面に連通連結さ
れると共に不燃剤を貯留し、該不燃剤を噴霧させる不燃剤噴霧ユニットと、を具備し、前記不燃剤噴霧ユニットが、圧縮空気を噴射すると共に可撓性材料からなるチューブを有する不燃剤撹拌手段を具備し、前記不燃剤撹拌手段における前記チューブは一端が固定されており、他端が自由に動けるようになっているから、不燃剤の消費量を少なくすることができると共にコンパクトな構造の集塵システムにすることができる等種々の効果がある。
【図面の簡単な説明】
【０００９】
【図１】本発明の第１実施形態を示す概要構成図である。
【図２】不燃剤噴霧ユニット付き集塵フードの拡大斜視図である。
【図３】本発明の第２実施形態を示す概要構成図である。
【発明を実施するための形態】
【００１０】
最初に本発明の第１実施形態を図面に基づいて詳しく説明する。図１において、加工機（本実施形態では自動溶接機）、即ち、粉塵発生源１０１は粉塵発生源包囲フード１０２によって包囲されており、該粉塵発生源包囲フード１０２の天井上面には不燃剤噴霧ユニット付き集塵フードＡが設置されている。そして、該不燃剤噴霧ユニット付き集塵フードＡには接続ダクト１０３を介して集塵機１０４（本実施形態では乾式集塵機）が連通連結されている。
【００１１】
次に、前記不燃剤噴霧ユニット付き集塵フードＡについて、図２に基づき詳しく説明する。図２は不燃剤噴霧ユニット付き集塵フードＡの拡大斜視図である。図２において、前記粉塵発生源包囲フード１０２の天井上面には、前記粉塵発生源１０１で発生する粉塵を搬送気体とともに鉛直方向に搬送する集塵フード１が連結されており、該集塵フード１は下端開口部１ａを介して前記粉塵発生源包囲フード１０２に連通されている。
【００１２】
そして、該集塵フード１の一方の側面には、前記粉塵を搬送気体とともに水平方向に搬送する集塵ダクト２が連結されており、該集塵ダクト２は一端開口部２ａを介して前記集塵フード１に連通されている。また該集塵ダクト２の他端開口部２ｂは前記接続ダクト１０３を介して前記集塵機１０４に連通されている。このことから分かるように、該不燃剤噴霧ユニット付き集塵フードＡは該集塵機１０４の上流に設置されている。
【００１３】
また前記集塵ダクト２の一端開口部２ａと直交する側面には、不燃剤Ｆ（本実施形態では炭酸カルシウム）を貯留し、該不燃剤Ｆを噴霧させる不燃剤噴霧ユニット３が連結されており、該不燃剤噴霧ユニット３の一端側面は前記集塵フード１の一方の側面に連結されている。なお、該不燃剤噴霧ユニット３の一端側面と直交する側面には、側面開口部３ａが設けられており、該不燃剤噴霧ユニット３は側面開口部３ａを介して前記集塵ダクト２に連通されている。
【００１４】
また不燃剤噴霧ユニット３内の天井下面には不燃剤撹拌手段４が吊設されており、該不燃剤撹拌手段４は先端に可撓性材料からなる複数のチューブ４ａを備えている。なお該チューブ４ａは一端が固定されており、他端（最先端側）が自由に動けるようになっている。そして、該不燃剤撹拌手段４は開閉弁１０５（図２には図示せず。図１参照）を介して図示されない圧縮空気源に連通されており、該不燃剤撹拌手段４に圧縮空気が供給されると、前記チューブ４ａから圧縮空気が噴射されると共に前記チューブ４ａの他端が不規則に動く（暴れる）。これにより、前記不燃剤噴霧ユニット３内に貯留されている不燃剤Ｆを噴霧させるようになっている。
【００１５】
なお本発明における不燃剤Ｆとしては、上述した炭酸カルシウムのほかに、例えば、ゼオライト、パーライト、ガラス粉、石英砂、乾燥コンクリート粉、石灰石粉、軽石粉、ホウ砂、珪藻土、セライト、セメント、消石灰、乾燥粘土、長石、乾燥塩、ベントナイト、ケイ石などが挙げられる。
【００１６】
このように構成されたものの作動について説明する。まず、粉塵発生源１０１、即ち、加工機が作動されると、粉塵が発生するため、集塵機１０４が作動される。そうすると、該集塵機１０４の吸引力により、粉塵発生源包囲フード１０２内の粉塵は、集塵フード１の下端開口部１ａを介して該集塵フード１内に吸引され、該集塵フード１内において搬送気体とともに鉛直方向に搬送される。
【００１７】
その後、集塵フード１内の粉塵は、集塵ダクト２の一端開口部２ａを介して該集塵ダクト２に吸引され、該集塵ダクト２内において搬送気体とともに水平方向に搬送される。なお不燃剤撹拌手段４においては、該不燃剤撹拌手段４に連通された開閉弁１０５が一定時間毎（本実施形態では２８分毎）に数秒間（本実施形態では５秒間）開くようになっており、該開閉弁１０５が開いている間は不燃剤撹拌手段４に圧縮空気が供給され、チューブ４ａから圧縮空気が噴射されると共にチューブ４ａの他端が不規則に動く（暴れる）。これにより、不燃剤噴霧ユニット３内に貯留されている不燃剤Ｆを噴霧させる。
【００１８】
そして、噴霧された不燃剤Ｆは、不燃剤噴霧ユニット３の側面開口部３ａを介して集塵ダクト２に吸引され、該集塵ダクト２内の粉塵と混合される。その後、該混合された粉塵と不燃剤Ｆは、集塵ダクト２の他端開口部２ｂ及び接続ダクト１０３を介して搬送気体とともに集塵機１０４に吸引される。
【００１９】
次に本発明の第２実施形態を図３に基づいて説明する。第２実施形態では、プリコート剤Ｐ（本実施形態では炭酸カルシウム）が貯留されたプリコート剤供給装置１０６が備えられている。そして、該プリコート剤供給装置１０６は、供給管１０７を介して接続ダクト１０３に連通され、該接続ダクト１０３を介して集塵機１０４に連通されている。また該プリコート剤供給装置１０６は、不燃剤撹拌手段４に連通された開閉弁１０５に連通され、該開閉弁１０５を介して図示されない圧縮空気源に連通されている。
【００２０】
以上の点が第１実施形態との構成の相違点である。これ以外は第１実施形態と同じ構成である。なお第１実施形態と同じ構成要素については、同一の符号で示してその説明を省略することとする。
【００２１】
このように構成された第２実施形態の作動は基本的に第１実施形態と同じである。しかし、開閉弁１０５を開くと、不燃剤撹拌手段４に圧縮空気が供給されて不燃剤噴霧ユニット３内に貯留されている不燃剤Ｆが噴霧され、これと同時に、プリコート剤供給装置１０６に圧縮空気が供給されて該プリコート剤供給装置１０６から集塵機１０４へプリコート剤Ｐが供給される。この点が第１実施形態とは異なる。
【００２２】
なお本発明におけるプリコート剤Ｐとしては、上述した炭酸カルシウムのほかに、例えば、ゼオライト、パーライト、ガラス粉、石英砂、乾燥コンクリート粉、石灰石粉、軽石粉、ホウ砂、珪藻土、セライト、セメント、消石灰、乾燥粘土、長石、乾燥塩、ベントナイト、ケイ石などが挙げられる。
【００２３】
なお本発明では、不燃剤噴霧ユニット３が、圧縮空気を噴射すると共に可撓性材料からなるチューブ４ａを有する不燃剤撹拌手段４を具備している。このため、不燃剤撹拌手段４に圧縮空気が供給されると、チューブ４ａから圧縮空気が噴射されると共にチューブ４ａの他端が不規則に動き、不燃剤噴霧ユニット３内に貯留されている不燃剤Ｆを攪拌して噴霧させるようになっている。その結果、撹拌されて噴霧された不燃剤Ｆは気流の流れに沿って万遍なく集塵ダクト２内及び接続ダクト１０３内に該不燃剤Ｆの層を形成するから、従来に比べ、不燃剤Ｆの消費量が少なくてすむという効果がある。
【００２４】
また本発明では、集塵フード１の側面に集塵ダクト２が連通連結され、且つ、該集塵ダクト２の側面に不燃剤噴霧ユニット３が連通連結されており、これによりコンパクトな構造の集塵システムになっている。
【００２５】
さらに本発明では、プリコート剤Ｐが貯留されたプリコート剤供給装置１０６が前記集塵機１０４に連通されると共に、該プリコート剤供給装置１０６と前記不燃剤撹拌手段４が同じ開閉弁１０５を介して圧縮空気源に連通され、前記開閉弁１０５を開くことにより、前記プリコート剤供給装置１０６から前記集塵機１０４への前記プリコート剤Ｐの供給と前記不燃剤Ｆの噴霧を同時に行うようにしたから、使用する開閉弁の数を減らすことができると共にエアー配管もシンプルにすることができるという効果がある。
【００２６】
なお本発明の第１及び第２実施形態では、図２に示すように、集塵ダクト２が連通連結される集塵フード１の側面と該集塵ダクト２の底面が直角をなしている。この構成にすると、粉塵発生源で発生する火種（例えば、スパッタ）が直接、集塵ダクト２内へ進入することを防止することができ、集塵機内やダクト内での火災発生の確率を、より低減させることができるため、好ましい。
【００２７】
また本発明の第１及び第２実施形態では、不燃剤噴霧ユニット３内への不燃剤Ｆの供給は、該不燃剤噴霧ユニット３に設けられた点検扉３ｂ（図２参照）を開けて、そこから供給するようにしている。しかし、これに限定されるものではなく、不燃剤噴霧ユニット３に供給管（図示せず）を介して不燃剤圧送手段（図示せず）を連通させ、該不燃剤圧送手段により不燃剤Ｆを圧送して不燃剤噴霧ユニット３内に供給するようにしてもよい。
【符号の説明】
【００２８】
１  集塵フード
２  集塵ダクト
３  不燃剤噴霧ユニット
４  不燃剤撹拌手段
４ａ  チューブ
１０１  粉塵発生源
１０２  粉塵発生源包囲フード
１０３  接続ダクト
１０４  集塵機
１０５  開閉弁
１０６  プリコート剤供給装置
Ａ  不燃剤噴霧ユニット付き集塵フード
Ｆ  不燃剤
Ｐ  プリコート剤
【図１】
0005626643.tif 000002
【図２】
0005626643.tif 000003
【図３】
0005626643.tif 000004